(57)【要約】【課題】  バスダクトをラック上に配設する構造であっても、ラックの増設や交換等しやすいラック列給電システムを提供する。【解決手段】  電子機器を収納したラック１を列設したラック列の天板１ｃ上に、ラック列の幅と同等の長さを有して各ラックに連結されたラダー状部材３が配置され、このラダー状部材３にバスダクト２が載置固定されている。バスダクト２の適宜部位には、ラック１内の電子機器に電源を供給する引き込み線を接続するための開口部２１が設けられている。【選択図】  図１
2019102543.tif 000002
【特許請求の範囲】
【請求項１】
電子機器を収納したラックを列設したラック列に対して、当該ラック列の上部に配設したバスダクトからラック内の電子機器に電源供給するラック列給電システムであって、
前記ラックの天板上には、ラック列方向に複数のラックに亘る長さを有する長尺部材が配置されて、当該長尺部材に前記バスダクトが固定されて成ることを特徴とするラック列給電システム。
【請求項２】
前記長尺部材はラック列の幅と同等の長さを有し、各ラックと連結されていることを特徴とする請求項１記載のラック列給電システム。
【発明の詳細な説明】
【技術分野】
【０００１】
本発明は、サーバ等の電子機器を収納したラックを列設したラック列に電源を供給するラック列給電システムに関する。
【背景技術】
【０００２】
サーバ等の電子機器を収納したラックが多数列設されたデータセンタ等では、電源線である導体バーを筒状のダクトに収容したバスダクトを天井或いはラック上に配設して、このバスダクトの適宜部位に引き込み線を接続し、各ラックに給電する配電構造が普及している。
例えば、特許文献１では、列設されたラックのそれぞれの天板上に固定部材を取り付け、この固定部材にバスダクトを固定してラック列方向に配設し、このバスダクトからそれぞれのラックに給電した。
【先行技術文献】
【特許文献】
【０００３】
【特許文献１】特開２０１５−２１６２６２号公報
【発明の概要】
【発明が解決しようとする課題】
【０００４】
上記ラック上にバスダクトを固定した構成は、個々のラックに設けた固定部材にバスダクトが取り付けられているため、ラックの増設や交換等を行う場合バスダクトをラック列から一時的に分離することになるが、その際バスダクトは単独で取り扱わなければならないため、注意を払う必要があった。
これは、バスダクトが長くなるとダクト自体の重量に加えて収容している導体バーの重量が加わるため変形し易くなり、バスダクト単独で扱う場合は変形や内部の導体バーが固定位置から外れないよう注意して作業する必要があるためで、作業者の負担となっていた。
【０００５】
そこで、本発明はこのような問題点に鑑み、バスダクトをラック上に配設する構造であっても、ラックの増設や交換等しやすいラック列給電システムを提供することを目的としている。
【課題を解決するための手段】
【０００６】
上記課題を解決する為に、請求項１の発明は、電子機器を収納したラックを列設したラック列に対して、当該ラック列の上部に配設したバスダクトからラック内の電子機器に電源供給するラック列給電システムであって、ラックの天板上には、ラック列方向に複数のラックに亘る長さを有する長尺部材が配置されて、当該長尺部材にバスダクトが固定されて成ることを特徴とする。
この構成によれば、バスダクトをラック上に配設する構造であっても、長尺部材に固定した状態でラック上に配置されるため、バスダクトをラックから取り外す場合は長尺部材ごと取り外せば良く、作業がし易くラックの増設や交換がし易い。
また、ラック内の通信機器に接続する通信線を長尺部材に案内させて配設することも可能であり、ラック列上部の幅広い利用が可能となる。
【０００７】
請求項２の発明は、請求項１に記載の構成において、長尺部材はラック列の幅と同等の長さを有し、各ラックと連結されていることを特徴とする。
この構成によれば、長尺部材を介して隣接するラック同士が連結されるため、地震等の揺れに対してラックの揺れや振動を抑制でき、安定した状態を保つことができる。
【発明の効果】
【０００８】
本発明によれば、バスダクトをラック上に配設する構造であっても、長尺部材に載置した状態でラック上に配置されるため、バスダクトをラックから取り外す場合は長尺部材ごと取り外せば良く、作業がし易くラックの増設や交換がし易い。
【図面の簡単な説明】
【０００９】
【図１】本発明に係るラック列給電システムの一例を示すラック列の斜視図である。
【図２】図１のラック列の正面図である。
【図３】図１のラック列の平面図である。
【図４】図１のラック列の右側面図である。
【図５】ラック列給電システムの他の例を示すラック列の斜視図である。
【図６】図５のラック列の正面図である。
【発明を実施するための形態】
【００１０】
以下、本発明を具体化した実施の形態を、図面を参照して詳細に説明する。図１〜４は本発明に係るラック列給電システムの一例を示すラック列の説明図であり、図１は斜視図、図２は正面図、図３は平面図、図４は右側面図である。各図において、１はサーバ等の電子機器を収納するラック、２はバスダクト、３は長尺部材としてのラダー状部材、４はラック１の中への引き込み線（図示せず）をバスダクト２に接続する際に使用される分岐ボックスであり、ここで示しているラック列は４つのラック１を列設して構成されている。
【００１１】
ラック１は、前面及び背面にそれぞれ扉（前面扉１ａ，背面扉１ｂ）を備え、前後から開閉可能に構成されている。また、天板１ｃ、左右側板１ｄを備えてラック１は個々に閉塞できるよう構成されている。そして、天板１ｃ上にはバスダクト２から電源を分岐した引き込み線をラック１の内部に引き込むための引き込み口１１が形成されている。
尚、ラック１に収納されている電子機器に接続される通信線等は、ラック１の底部に設けられている開口部（図示せず）から導入される。
【００１２】
バスダクト２は、金属製の四角形筒体から成るダクト２ａに電源線としての複数の導体バー６が収容されて構成され、ラック列の長さ（幅）に合わせた長さを有し、図１ではラック１の幅の４倍の長さを有している。導体バー６は帯状の金属板から成り、幅方向を縦向きに配置してダクト２ａに収容され、複数の導体バー６が前後方向に重なるように配置され、収容されている。尚、ダクト２ａに収納された各導体バー６は、適宜部位が図示しない絶縁部材により支持されて接触しないよう配置され固定されている。
【００１３】
そして、ダクト２ａの上面にはラック１内への引き込み線を接続するための開口部２１が設けられている。ただし、開口部２１は蓋部材２２が設けられて塵等が入り込まないよう閉塞されており、分岐ボックス４の装着操作によりダクト２ａ内に開いて分岐ボックス４が接続されるよう構成されている。 
【００１４】
ラダー状部材３は、平行に配置された２本のレール状部材３１を親桁とし、このレール状部材３１の間に一定間隔で横棒３２を子桁として配置して構成され、レール状部材３１同士を横棒３２を介して連結した梯子状の金属製構造物であり、ラック列の幅に合わせた長さを有している。
【００１５】
分岐ボックス４は、内部に分岐ブレーカ（図示せず）が組み込まれており、下部にバスダクト２の導体バー６に接続するための電源線接続部４ａ（図４に示す）を有し、側部に引き込み線を接続するための端子４ｂを有している。電源線接続部４ａは速結端子で形成されており、分岐ボックス４のバスダクト２への装着操作により、下方に突設された電源線接続部４ａが導体バー６に接続され、端子４ｂに接続された引き込み線が導体バー６に接続される。
【００１６】
このように構成された、バスダクト２、ラダー状部材３等は次のようにラック列に取り付けられる。まずラダー状部材３にバスダクト２が組み付けられる。ラダー状部材３はバスダクト２に比べて幅広に形成されており、バスダクト２は適宜部位が連結部材７によりラダー状部材３の横棒３２にねじ止め固定される。このときバスダクト２は、開口部２１を上方に向けて配置固定される。
【００１７】
こうしてバスダクト２が取り付けられたラダー状部材３は、ラック１の天板１ｃの中央に配置されてラック列方向に配置され、ラック１の天板１ｃに取り付けられる。ラダー状部材３は各ラック１に対して連結部材８によりねじ止め固定される。
尚、ここでは、バスダクト２をラダー状部材３に固定する連結部材７と、ラダー状部材３をラック１に固定する連結部材８は同一のものを使用しているが、異なる形状の連結部材であって良い。
【００１８】
このように、バスダクト２をラック１上に配設する構造であっても、ラダー状部材３を介してラック上に配置されるため、バスダクト２をラック１から取り外す際はラダー状部材３に組み付けた状態で取り外しでき、作業がし易くラック１の増設や交換がし易い。
また、ラダー状部材３を介して隣接するラック１同士が連結されるため、地震等の揺れに対してラック１の揺れや振動を抑制でき、安定した状態を保つことができる。
更に、ラック１内の通信機器に接続する通信線をラダー状部材３に案内させて配設することも可能であり、ラック列上部の幅広い利用が可能となる。
【００１９】
図５，６は、ラック列給電システムの他の例を示し、図５はラック列の斜視図、図６はラック列の正面図である。上記図１の形態とはバスダクト２とラダー状部材３との位置関係が異なり、バスダクト２をラダー状部材３から浮かせて固定している。
具体的に、バスダクト２をラダー状部材３に連結する連結部材７ａを上記実施形態の連結部材７より起立片を長くして、バスダクト２をラダー状部材３から浮かせた状態で連結している。尚、上記実施形態と共通する構成要素には同一の符号を付与している。
【００２０】
このように、バスダクト２をラダー状部材３に設置する形態であっても、バスダクト２とラダー状部材３との間に隙間を設けても良く、隙間を通信線の配設等に活用できる。
【００２１】
尚、上記実施形態では、バスダクト２を使用して１系統の電源線をラック１上に配設する構成を示しているが、バスダクト２を２本使用して２系統の電源線を配設する構成も容易であり、ラダー状部材３の幅を拡張することで２本のバスダクト２を隣接して配設できる。
また、図５，６に示すようにバスダクト２とラダー状部材３との連結は、一様な間隔で実施する必要は無く、適宜部位を連結すれば良い。
また、梯子状のラダー状部材３にバスダクト２を固定しているが、堅牢な長尺部材であれば良く、断面をハット型やコ字状に折り曲げたレール状の長尺部材であっても良い。
【符号の説明】
【００２２】
１・・ラック、１ｃ・・天板、２・・バスダクト、２ａ・・ダクト、３・・ラダー状部材（長尺部材）、４・・分岐ボックス、６・・導体バー、７，７ａ，８・・連結部材。
【図１】
2019102543.tif 000003
【図２】
2019102543.tif 000004
【図３】
2019102543.tif 000005
【図４】
2019102543.tif 000006
【図５】
2019102543.tif 000007
【図６】
2019102543.tif 000008